(57)【要約】【課題】ユーザ数の増加に正比例するプレゼンス情報取得のための網内信号量を抑制して、情報通信網の各装置に対する信号処理負荷を削減する。【解決手段】ユーザの在圏アクセス網情報を管理する位置情報管理サーバ５，７と、ユーザの在圏アクセス網でユーザの利用可能な帯域情報を管理する帯域情報管理サーバ６，８と各アクセス網内のユーザのプレゼンス情報を管理するＰｒｏｘｙプレゼンスサーバ１３，１４と、アクセス網のみで使用するユーザ識別子を情報通信網で一意に識別可能な情報要素に変換し、ユーザが情報通信網に対して契約を結んでいるＳＬＡ情報を管理するユーザ情報管理サーバ１７と、第３者の通信事業者に対してもプレゼンス情報を提供可能なプレゼンスサーバ１９とを備え、プレゼンスサーバに対しては、ユーザのプレゼンス情報更新が行われる毎にプレゼンス情報の更新を行わず、複数のユーザの情報をアクセス網単位にユーザをグループ化して一括に情報の取得を行う。【選択図】　　　　図１
2004080619.tif 000002
【特許請求の範囲】
【請求項１】
無線アクセス網もしくは有線アクセス網を提供する情報通信網内を同一のユーザが端末を使用して移動し、情報通信網にアクセスすることが可能な通信システムであって、
前記情報通信網が用いる無線アクセス網もしくは有線アクセス毎のユーザの在圏アクセス網情報を管理し、ユーザの在圏アクセス網情報の登録要求を行う位置情報管理サーバと、
無線アクセス網もしくは有線アクセス網からユーザが情報通信網にアクセスする際に、アクセス網のみで使用可能なユーザ識別子を情報通信網でユーザを一意に識別可能なユーザ識別子に変換し、該情報を管理し、アクセス網のみで使用可能な情報要素を情報通信網で一意に識別可能な情報要素に変換し、該情報を管理して、ユーザが情報通信網に対して契約を結んでいるＳＬＡ（Ｓｅｒｖｉｃｅ　Ｌｅｖｅｌ　Ａｇｒｅｅｍｅｎｔ）情報を管理し、前記位置情報管理サーバから登録要求が行われた前記在圏アクセス網情報と、前記ＳＬＡ情報に含まれるユーザの契約帯域情報をプレゼンス情報初期値として登録要求を行うユーザ情報管理サーバと、
前記ユーザの在圏アクセス網情報、前記ユーザ識別子、前記ＳＬＡ情報で構成されるユーザに関する初期情報をプレゼンス情報初期値として管理し、情報通信網が提供するアプリケーションもしくは情報通信網を所有していない第３者の通信事業者端末に対してもプレゼンス情報を提供可能であり、前記ユーザ情報管理サーバから転送される前記プレゼンス情報初期値を受信し、情報通信網が提供するアプリケーションもしくは情報通信網を所有していない第３者の通信事業者に通知するプレゼンスサーバとを備え、
情報通信網を所有する情報通信事業者端末から、情報通信網が提供するアプリケーションもしくは情報通信網を所有していない第３者の通信事業者端末に対して、ユーザのプレゼンス情報初期値を公開することを特徴とする通信システム。
【請求項２】
請求項１記載の通信システムにおいて、
前記各サーバに加えて、
ユーザが現在アクセス中のアクセス網で、該アクセス網の収容帯域値から他のユーザが確保している帯域値を減算した現在ユーザがアクセス中のアクセス網が利用可能な帯域値情報を管理し、ユーザが現在アクセスしているアクセス網で、現在ユーザが利用可能な帯域情報の登録要求を行う帯域情報管理サーバと、
各アクセス網に設置され、位置情報管理サーバと前記帯域情報管理サーバよりアクセス網単位でのプレゼンス情報を管理し、位置情報管理サーバと前記帯域情報管理サーバから登録要求が行われたユーザの在圏位置情報と現在ユーザが利用可能な帯域情報を最新プレゼンス情報として、ユーザ情報管理サーバに通知するＰｒｏｘｙプレゼンスサーバと、
情報通信網が提供するアプリケーションもしくは情報通信網を所有していない第３者の通信事業者端末からの最新プレゼンス情報の取得要求を受信し、該要求をユーザ情報管理サーバに転送し、該ユーザ情報管理サーバから取得した前記最新プレゼンス情報を、情報通信網が提供するアプリケーションもしくは情報通信網を所有していない第３者の通信事業者端末に通知するプレゼンスサーバと、
前記Ｐｒｏｘｙプレゼンスサーバに対し、最新プレゼンス情報の取得要求を行い、該Ｐｒｏｘｙプレゼンスサーバが各アクセス網に設置された各装置から取得した最新プレゼンス情報の取得および管理を行うユーザ情報管理サーバとを備えることを特徴とする通信システム。
【請求項３】
無線アクセス網もしくは有線アクセス網を提供する情報通信網内を同一のユーザが端末を使用して移動し、情報通信網にアクセスすることが可能な通信システムの通信方法であって、
位置情報管理サーバは、前記情報通信網が用いる無線アクセス網もしくは有線アクセス毎のユーザの在圏アクセス網情報を管理し、ユーザの在圏アクセス網情報の登録要求を行い、
帯域情報管理サーバは、ユーザが現在アクセス中のアクセス網で、該アクセス網の収容帯域値から他のユーザが確保している帯域値を減算した現在ユーザがアクセス中のアクセス網が利用可能な帯域値情報を管理し、ユーザが現在アクセスしているアクセス網で、現在ユーザが利用可能な帯域情報の登録要求を行い、
Ｐｒｏｘｙプレゼンスサーバは、各アクセス網に設置され、位置情報管理サーバと前記帯域情報管理サーバよりアクセス網単位でのプレゼンス情報を管理し、位置情報管理サーバと前記帯域情報管理サーバから登録要求が行われたユーザの在圏位置情報と現在ユーザが利用可能な帯域情報を最新プレゼンス情報として、ユーザ情報管理サーバに通知し、
ユーザ情報管理サーバは、無線アクセス網もしくは有線アクセス網からユーザが情報通信網にアクセスする際に、アクセス網のみで使用可能なユーザ識別子を情報通信網でユーザを一意に識別可能なユーザ識別子に変換し、該情報を管理し、アクセス網のみで使用可能な情報要素を情報通信網で一意に識別可能な情報要素に変換し、該情報を管理して、ユーザが情報通信網に対して契約を結んでいるＳＬＡ（Ｓｅｒｖｉｃｅ　Ｌｅｖｅｌ　Ａｇｒｅｅｍｅｎｔ）情報を管理し、前記位置情報管理サーバから登録要求が行われた前記在圏アクセス網情報と、前記ＳＬＡ情報に含まれるユーザの契約帯域情報をプレゼンス情報初期値として登録要求を行い、
プレゼンスサーバは、前記ユーザの在圏アクセス網情報、前記ユーザ識別子、前記ＳＬＡ情報で構成されるユーザに関する初期情報をプレゼンス情報初期値として管理し、情報通信網が提供するアプリケーションもしくは情報通信網を所有していない第３者の通信事業者端末に対してもプレゼンス情報を提供可能であり、前記ユーザ情報管理サーバから転送される前記プレゼンス情報初期値を受信し、情報通信網が提供するアプリケーションもしくは情報通信網を所有していない第３者の通信事業者に通知し、
該ユーザ情報管理サーバが、情報通信網が提供するアプリケーションもしくは情報通信網を所有していない第３者の通信事業者が要求する複数のユーザの前記ユーザ位置情報、前記ユーザが利用可能な帯域情報、前記ユーザ識別子、前記ＳＬＡ情報で構成されるユーザに関する情報を、ユーザの在圏するアクセス網毎にグループ化し、各アクセス網のＰｒｏｘｙプレゼンスサーバに対してグループ単位での情報取得要求を行い、前記Ｐｒｏｘｙプレゼンスサーバから同時に複数のユーザの最新のプレゼンス情報を取得することを特徴とする通信方法。
【請求項４】
請求項３記載の通信方法において、
前記アクセス網毎に設置された前記Ｐｒｏｘｙプレゼンスサーバが、ユーザ情報管理サーバが要求する複数ユーザをグループ化した情報から、ユーザ毎の前記ユーザ位置情報、前記ユーザが利用可能な帯域情報、前記ユーザ識別子、前記ＳＬＡ情報で構成されるユーザに関する情報に基づき、アクセス網毎に設置された位置情報管理サーバや帯域情報管理サーバより情報を取得可能であることを特徴とする通信方法。
【請求項５】
請求項４記載の通信方法において、
前記Ｐｒｏｘｙプレゼンスサーバが、アクセス網毎に設置された位置情報管理サーバや帯域情報管理サーバより取得したユーザ毎の情報を、アクセス網毎にグループ化して、一括にユーザ情報管理サーバに対して通知可能であることを特徴とする通信方法。
【請求項６】
無線アクセス網もしくは有線アクセス網を提供する情報通信網内を同一のユーザが端末を使用して移動し、情報通信網にアクセスすることが可能な通信システムの複数ユーザの位置情報および帯域情報を管理および通知するプログラムであって、
ユーザ情報管理サーバに、情報通信網が提供するアプリケーションもしくは情報通信網を所有していない第３者の通信事業者が要求する複数のユーザの前記ユーザ位置情報、前記ユーザが利用可能な帯域情報、前記ユーザ識別子、前記ＳＬＡ情報で構成されるユーザに関する情報を、ユーザの在圏するアクセス網毎にグループ化する手順と、各アクセス網のＰｒｏｘｙプレゼンスサーバに対してグループ単位での情報取得要求を行う手順と、前記Ｐｒｏｘｙプレゼンスサーバから同時に複数のユーザの最新のプレゼンス情報を取得する手順とを実行させるためのプログラム。
【請求項７】
無線アクセス網もしくは有線アクセス網を提供する情報通信網内を同一のユーザが端末を使用して移動し、情報通信網にアクセスすることが可能な通信システムの複数ユーザの位置情報および帯域情報を管理および通知するプログラムであって、
Ｐｒｏｘｙプレゼンスサーバに、ユーザ情報管理サーバが要求する複数ユーザをグループ化した情報から、ユーザ毎の前記ユーザ位置情報、前記ユーザが利用可能な帯域情報、前記ユーザ識別子、前記ＳＬＡ情報で構成されるユーザに関する情報に基づき、アクセス網毎に設置された位置情報管理サーバや帯域情報管理サーバより情報を取得する手順を実行させるためのプログラム。
【請求項８】
無線アクセス網もしくは有線アクセス網を提供する情報通信網内を同一のユーザが端末を使用して移動し、情報通信網にアクセスすることが可能な通信システムの複数ユーザの位置情報および帯域情報を管理および通知するプログラムであって、
Ｐｒｏｘｙプレゼンスサーバに、アクセス網毎に設置された位置情報管理サーバや帯域情報管理サーバより取得したユーザ毎の情報を、アクセス網毎にグループ化する手順と、一括にユーザ情報管理サーバに対して通知する手順とを実行させるためのプログラム。
【請求項９】
無線アクセス網もしくは有線アクセス網を提供する情報通信網内を同一のユーザが端末を使用して移動し、情報通信網にアクセスすることが可能な通信システムのＰｒｏｘｙプレゼンスサーバであって、
ユーザのプレゼンス情報の初期値をプレゼンスサーバに登録する場合、位置情報管理サーバからユーザ識別子とユーザの現在の在圏位置情報を受信すると、該ユーザ識別子とユーザの現在の在圏位置情報を登録し、該ユーザ識別子をユーザを情報通信網が一意に識別可能なユーザ識別子に変換して、該ユーザ識別子とユーザのアクセス網情報の登録要求をユーザ情報管理サーバに送信する手段と、
該ユーザ情報管理サーバからのプレゼンス情報登録応答を、位置情報管理サーバへ送信する手段と、
複数ユーザの最新プレゼンス情報を同時に取得する場合、ユーザ情報管理サーバから複数ユーザのプレゼンス情報のグループ単位での情報取得要求を受信すると、ユーザ単位に最新在圏位置情報の位置情報取得要求を行い、最新在圏位置情報の対応表を検索し、特定ユーザの最新在圏位置情報を取得し、該ユーザの最新位置情報を更新し、該ユーザの最新位置情報での利用可能帯域を記録し、複数ユーザのプレゼンス情報をグループ単位で再構成し、一括してユーザ情報管理サーバに通知する手段と
を具備することを特徴とするＰｒｏｘｙプレゼンスサーバ。
【発明の詳細な説明】
【０００１】
【発明の属する技術分野】
本発明は、情報通信網事業者が複数の有線アクセス網あるいは無線アクセス網を提供する情報通信網間を、広範囲に、ユーザ情報管理サーバが一意にユーザを識別することが可能なユーザ識別子を用いて移動するユーザの最新プレゼンス情報を、情報通信網が提供するアプリケーションあるいは情報通信網を所有していない第３者の通信事業者に対してもプレゼンス情報として提供可能にする通信システム、およびユーザの最新プレゼンス情報の取得を可能とする通信方法に関する。
【０００２】
【従来の技術】
信学技報ＮＳ２００１−２８２，ＩＮ２００１−２３８（２００２年３月発行）の『イベントドリブン型プレゼンス情報通知方式に関する検討』で提案を行った。
【０００３】
上記信学技報ＮＳ２００１−２８２，ＩＮ２００１−２３８で提案した従来技術であるイベントドリブン型の通信方式で、ユーザの在圏位置情報もしくはユーザが在圏するアクセス網で、ユーザ毎に利用可能な帯域情報等の情報をプレゼンス情報として登録することを想定した場合、プレゼンスサーバにプレゼンス情報を登録した後、一定時間経過後に通信が行われた場合、ユーザの移動により在圏位置情報の更新や情報通信網内での通信トラヒックの変動により、利用可能な帯域も変更されている可能性があり、その場合には最新のプレゼンス情報とプレゼンスサーバに登録されたプレゼンス情報とのミスマッチが生じる問題があった。
【０００４】
この問題を解消するため、上記信学技報ＮＳ２００１−２８２，ＩＮ２００１−２３８で提案した従来技術であるイベントドリブン型の通信方式では、情報通信網が提供するアプリケーションもしくは情報通信網を所有していない第３者の通信事業者が特定ユーザのプレゼンス情報の取得要求を行う際に、改めてアクセス網に対してプレゼンス情報の取得要求を行っている。
【０００５】
また、上記信学技報ＮＳ２００１−２８２，ＩＮ２００１−２３８で提案した従来技術であるイベントドリブン型の通信方式では、有線アクセス網もしくは無線アクセス網のみで使用可能な識別子や情報要素を変更することなく、プレゼンス情報としてプレゼンスサーバに登録した場合、情報通信網もしくは情報通信網を所有していない第３者の通信事業者が認識不可能になる問題が生じていた。このため、上記通信方式では、プレゼンスサーバにおいて、情報通信網もしくは情報通信網を所有していない第３者の通信事業者が認識可能な情報に変換している。
【０００６】
【発明が解決しようとする課題】
上記信学技報ＮＳ２００１−２８２，ＩＮ２００１−２３８で提案した従来技術であるイベントドリブン型の通信方式では、特定ユーザのプレゼンス情報の取得を前提とした方式であるため、プレゼンスサーバを利用するアプリケーションや第３者の通信事業者が同じに複数ユーザのプレゼンス情報の取得を行った場合には、ユーザ数分のプレゼンス情報取得信号が必要になる。
【０００７】
この方式においては、ユーザ数の増加とプレゼンス情報取得のための信号量は正比例の関係を持っているため、膨大なユーザのプレゼンス情報の取得が同時に行われた場合、情報通信網内の前記ユーザ情報管理サーバや前記プレゼンスサーバ等の各装置に対して、高い信号処理能力が要求されるという問題がある。
【０００８】
そこで、本発明の目的は、このような従来の課題を解決し、ユーザ数の増加に正比例するプレゼンス情報取得のための網内信号量を抑制し、情報通信網の各装置に対する信号処理負荷を削減することが可能な複数ユーザの位置情報および帯域情報を管理および通知する通信方法および通信システムを提供することにある。
【０００９】
【課題を解決するための手段】
本発明においては、情報通信網の各装置に対する信号処理負荷を削減する方法として、情報通信網が提供するアプリケーションもしくは情報通信網を所有していない第３者の通信事業者が、同時に複数ユーザの最新プレゼンス情報の取得要求を行った時点で、改めてユーザ情報管理サーバが、プレゼンス情報の取得要求の行われたユーザのアクセス網情報から、在圏アクセス網単位にユーザをグループ化し、グループ単位で一括にプレゼンス情報の取得を行う。
【００１０】
上記方式を実現するためには、複数ユーザの最新プレゼンス情報の取得要求が行われる前に、情報通信網が提供するアプリケーションもしくは情報通信網を所有していない第３者の通信事業者に対して公開するプレゼンス情報に含まれるユーザの在圏位置情報とユーザが在圏するアクセス網でユーザ毎に利用可能帯域情報を、以下の手順で取得する。
【００１１】
ユーザの在圏位置情報は、ユーザがアクセス網にアクセスした際に、アクセス網が位置情報管理サーバに通知するユーザの現在のアクセス網情報をプレゼンス情報の位置情報として使用し、ユーザの利用可能帯域情報は、ユーザ情報場理装置で管理されるユーザ毎のＳＬＡ情報内に含まれる契約帯域値をプレゼンス情報初期値の帯域情報として利用する。
【００１２】
従って、情報通信網が提供するアプリケーションもしくは情報通信網を所有していない第３者の通信事業者が、プレゼンスサーバに特定ユーザの最新プレゼンス情報の取得要求を行う前の時点において、プレゼンス情報としてアクセス網情報とサービス契約利用帯域値がプレゼンス情報初期値として公開される。
【００１３】
このプレゼンス情報初期値から、情報通信網を所有していない第３者の情報通信事業者もしくはアプリケーションが特定ユーザの最新プレゼンス情報の取得要求を行うことにより、改めて複数ユーザの最新の詳細なプレゼンス情報をユーザ情報管理サーバが情報通信網内の各装置から取得する。
【００１４】
この場合、前記ユーザ情報管理サーバにおいては、プレゼンス情報初期値としてユーザのアクセス情報網が登録されており、アクセス情報網からユーザが在圏しているアクセス網の認識が可能となる。前記ユーザ情報管理サーバは、この情報より、該アクセス網に設置されたＰｒｏｘｙプレゼンスサーバを特定可能となり、該アクセス圏に在圏するユーザをグループ化して、該アクセス網のＰｒｏｘｙプレゼンスサーバに対して最新プレゼンス情報の取得要求を行う。
【００１５】
この方式においては、ユーザの在圏位置情報や利用可能な帯域情報のような頻繁に更新が行われる情報をプレゼンス情報として使用する場合、前記プレゼンスサーバに対して、ユーザのプレゼンス情報更新が行われる毎に、プレゼンス情掲の更新を行わないため、プレゼンス情報更新要求のために発生する情報通信網内の網内信号量の抑制することが可能になり、情報通信網の各装置に対する信号処理負荷を削減した上で、特定ユーザの最新プレゼンス情報の取得することが可能になる。
【００１６】
また、この方式においては、ユーザ情報管理サーバが、情報通信網が提供するアプリケーションもしくは情報通信網を所有していない第３者の通信事業者が特定ユーザの最新プレゼンス情報の取得要求に含まれる情報から、必要とされるプレゼンス情報を取捨選択することで、プレゼンス情報として必要のない情報は各装置から取得しないため、情報取得要求信号を抑制可能となるため、より一層の情報通信網内の信号処理負荷軽減が実現可能となる。
【００１７】
また、この方式においては、前記ユーザ情報管理サーバが同一のアクセス網に在圏する複数ユーザをグループ化し、一括して各アクセス網に設置した前記Ｐｒｏｘｙプレゼンスサーバに最新のプレゼンス情報の取得要求が行われる。従って、ユーザ数の増加とプレゼンス情報取得のため信号量は比例関係を持たず、膨大なユーザのプレゼンス情報の取得要求が同時に行われた場合にも、アクセス網毎のグループ単位でプレゼンス情報の取得を行うため、従来方式のような情報通信網内の前記ユーザ情報管理サーバや前記プレゼンスサーバ等の各装置に対し、高い信号処理能力が要求されることはなく、ユーザ情報管理サーバへの信号処理負荷の集中を回避することが可能になる。
【００１８】
ユーザ情報管理サーバが、情報通信網内のみで使用可能な位置情報を示す識別子を、情報通信網が提供するアプリケーションもしくは情報通信網を所有していない第３者の通信事業者が使用可能な情報に変更し、前記ユーザ情報管理サーバが管理するユーザ毎のＳＬＡ情報に含まれる契約帯域値と、前記帯域情報管理サーバから前記ユーザ情報管理サーバに対して通知するユーザがアクセス中のアクセス網の利用可能な帯域値とを対応付け、サービス契約条件を満足するユーザの現在の利用可能な帯域値を算出することで、プレゼンス情報初期値をプレゼンス情報に使用した場合と比較し、詳細で最新のプレゼンス情報が取得可能となる。
【００１９】
【発明の実施の形態】
以下、本発明の実施の形態を図面により説明する。
図１は、本発明の一実施形態を示すシステムの構成図である。
図１においては、情報通信網１内において広範囲にアクセス網Ａ２やアクセス網Ｂ３を移動するユーザ４に対して、アクセス網Ａ２での在圏位置情報を管理する位置情報管理サーバＡ５、ユーザの利用可能な帯域情報を管理する帯域情報管理サーバＡ６、アクセス網Ｂ３での在圏位置情報を管理する位置情報管理サーバＢ７、ユーザの利用可能な帯域情報を管理する帯域情報管理サーバＢ８、アクセス網Ａ内のユーザのプレゼンス情報を管理するＰｒｏｘｙプレゼンスサーバＡ１３、アクセス網Ｂ内のユーザのプレゼンス情報を管理するＰｒｏｘｙプレゼンスサーバＢ１４、アクセス網に依存せず、ユーザの加入者情報を管理するユーザ情報管理装置１７、ユーザに関する情報をプレゼンス情報として公開するプレゼンスサーバ１９が設けられる。
【００２０】
図１において、９は位置情報管理サーバＡ５とＰｒｏｘｙプレゼンスサーバＡ１３を接続する通信回線、１０は帯域情報管理サーバＡ６とＰｒｏｘｙプレゼンスサーバＡ１３を接続する通信回線、１１は位置情報管理サーバＢ７とＰｒｏｘｙプレゼンスサーバＢ１４を接続する通信回線、１２は帯域情報管理サーバＢ８とＰｒｏｘｙプレゼンスサーバＢ１４を接続する通信回線、１５はＰｒｏｘｙプレゼンスサーバＡ１３とユーザ情報管理サーバ１７を接続する通信回線、１６はＰｒｏｘｙプレゼンスサーバＢ１４とユーザ情報管理サーバ１７を接続する通信回線、１８はユーザ情報管理サーバ１７とプレゼンスサーバ１９を接続する通信回線、２２は情報通信網が提供するアプリケーション、２３は情報通信網を所有していない第３者の通信事業者、２０はプレゼンスサーバ１９と情報通信網が提供するアプリケーション２２を接続する通信回線、２１はプレゼンスサーバ１９と情報通信網を所有していない第３者の通信事業者２３を接続する通信回線である。
【００２１】
図２は、本発明のユーザのプレゼンス情報の初期値をプレゼンスサーバに登録する手順のシーケンスチャートである。
ユーザがアクセス網に接続すると、位置情報管理サーバにアクセス網に依存したユーザ識別子ＡＮとユーザの現在の在圏位置情報Ｌ（例：携帯電話網、ＰＨＳ網、ＡＤＳＬ網等）を通知する（Ｒ１）。位置情報管理サーバは、Ｐｒｏｘｙプレゼンスサーバに対して、アクセス網に依存したユーザ識別子ＡＮとユーザの現在の在圏位置情報Ｌ（例：携帯電話網、ＰＨＳ網、ＡＤＳＬ網等）を通知する（Ｒ２）。Ｐｒｏｘｙプレゼンスサーバは、ユーザ識別子ＡＮとユーザの現在の在圏位置情報Ｌを登録する（Ｒ３）。Ｐｒｏｘｙプレゼンスサーバは、アクセス網に依存したユーザ識別子ＡＮをユーザを情報通信網が一意に識別可能なユーザ識別子Ｎに変換し、ユーザ識別子Ｎとユーザのアクセス網情報Ｌの登録要求をユーザ情報管理サーバに対して送信する（Ｒ４）。
【００２２】
ユーザ情報管理サーバは、ユーザ識別子Ｎとユーザの在圏位置情報Ｌを登録するとともに、ユーザ識別子Ｎからユーザ情報管理サーバがユーザ毎に管理する加入者プロファイルの対応関係表からユーザのサービス契約情報Ｓを検索し、ユーザの契約帯域値Ｂ（例：Ｇｏｌｄサービス、Ｓｉｌｖｅｒサービス等）を取得し、前記ユーザ識別子Ｎと前記ユーザの在圏位置情報Ｌと前記契約帯域値Ｂを使用してプレゼンス情報Ｐを作成する（Ｒ５）。作成されたプレゼンス情報Ｐは、ユーザ情報管理サーバからプレゼンスサーバに対し登録要求が送信され（Ｒ６）、プレゼンスサーバにプレゼンス情報初期値Ｐが登録され、プレゼンス情報登録時刻ＴＲが記録される（Ｒ７）。プレゼンス情報登録が行われた後は、ユーザ情報管理サーバにプレゼンス情報登録応答が送信され（Ｒ８）、ユーザ情報管理サーバからＰｒｏｘｙプレゼンスサーバへ（Ｒ９）、Ｐｒｏｘｙプレゼンスサーバから位置情報管理サーバへ（Ｒ１０）の順で、プレゼンス情報登録応答が送信される。
【００２３】
図３は、本発明における複数ユーザの最新プレゼンス情報を同時に取得する手順を示すシーケンスチャートである。
情報通信網が提供するアプリケーションもしくは情報通信網を所有していない第３者の通信事業者がプレゼンスサーバに対して、同時に複数のユーザの最新プレゼンス情報の取得要求を送信すると（Ｃ１）、プレゼンスサーバは、ユーザ情報管理サーバに対して、複数ユーザのプレゼンス情報更新要求を送信する（Ｃ２）。ユーザ情報管理サーバは、前述のプレゼンス情報初期登録手順により登録された在圏位置情報Ｌとユーザ識別子Ｎより、ユーザ毎に在圏するアクセス網を認識することが可能となる。
【００２４】
ユーザ情報管理サーバは、複数のユーザをユーザの在圏するアクセス網毎にグループ化する（Ｃ３）。アクセス網毎にグループ化された複数のユーザのプレゼンス情報を各アクセス網のＰｒｏｘｙプレゼンスサーバに対してグループ単位での情報取得要求を行う（Ｃ４）。Ｐｒｏｘｙプレゼンスサーバは、グループ化された複数ユーザをユーザ毎に再構築する（Ｃ５）。Ｐｒｏｘｙプレゼンスサーバは、位置情報管理サーバに対して、グループ化されたユーザ単位（特定ユーザＵＳ）に最新在圏位置情報ＬＮの位置情報取得要求を行い（Ｃ６）、特定ユーザのユーザ識別子ＮＵＳと位置情報管理サーバが管理する最新在圏位置情報の対応表を検索し、特定ユーザＵＳの最新在圏位置情報ＬＮ（例：携帯電話網の東京新宿エリア）を取得し（Ｃ７）、Ｐｒｏｘｙプレゼンスサーバに対し、最新在圏位置情報ＬＮを送信し（Ｃ８）、Ｐｒｏｘｙプレゼンスサーバはユーザの最新位置情報を更新する（Ｃ９）。
【００２５】
その後、帯域情報管理サーバに対して帯域情報取得要求を行う（Ｃ１０）。帯域情報管理サーバは、最新在圏位置情報ＬＮと特定ユーザＵＳのユーザ識別子ＮＵＳから帯域情報管理サーバが管理するアクセス網の位置と現在の利用可能帯域の対応表を検索および計算し、利用可能帯域ＡＢ（例：携帯電話網の東京新宿エリアの残り利用可能帯域は２．４Ｇｂｐｓ）を取得する（Ｃ１１）。帯域情報管理サーバは、ユーザ情報管理サーバに対して、利用可能帯域ＡＢを送信し（Ｃ１２）、Ｐｒｏｘｙプレゼンスサーバはユーザの最新位置情報での利用可能帯域ＡＢを記録する（Ｃ１３）。
以降は、プレゼンス情報取得要求が行われたグループ化されたユーザ数分、Ｃ６からＣ１３の同じ手順を繰り返す。
【００２６】
Ｐｒｏｘｙプレゼンスサーバは、複数ユーザのプレゼンス情報をグループ単位で再構成し（Ｃ１４）、一括してユーザ情報管理サーバに通知する（Ｃ１５）。ユーザ情報管理サーバは、Ｐｒｏｘｙプレゼンスサーバより受信した情報をユーザ単位の情報に編集し、ユーザ情報管理サーバ自身が具備する特定ユーザＵＳのサービス契約情報ＳＵＳから契約帯域値Ｂを検索し、ＡＢとＢから特定ユーザＵＳが利用することが可能な帯域ＮＢを算出（例：Ｇｏｌｄサービスユーザは残り帯域の０．１％を使用可能と契約条件に記述されている場合、東京新宿エリアの残り利用可能帯域の２４Ｇｂｐｓに０．１％を乗算した値がＮＢに相当）する（Ｃ１６）。
【００２７】
ユーザ情報管理サーバは、特定ユーザＵＳのユーザ識別子ＮＵＳと最新在圏位置情報ＮＢと特定ユーザＵＳが利用することが可能な帯域ＮＢを組み合わせて最新プレゼンス情報ＰＮをユーザ毎に作成する（Ｃ１７）。そして、プレゼンスサーバが要求したユーザ数分の最新プレゼンス情報のプレゼンス情報登録要求を行い（Ｃ１８）、プレゼンスサーバに複数ユーザの最新プレゼンス情報が登録されることで（Ｃ１９）、情報通信網が提供するアプリケーションもしくは情報通信網を所有していない第３者の通信事業者が最新プレゼンス情報ＰＮを取得することが可能となる（Ｃ２０）。その後、プレゼンスサーバは、ユーザ情報管理サーバに対して、プレゼンス情報登録応答を送信し（Ｃ２１）、ユーザ情報管理サーバは、プレゼンス情報更新応答をＰｒｏｘｙプレゼンスサーバに送信する（Ｃ２２）。
【００２８】
図４は、従来方式と本発明の方式の網構成の比較図である。
前述の信学技報ＮＳ２００１−２８２，ＩＮ２００１−２３８で提案した従来技術（イベントドリブン型プレゼンス情報通知方式）では、図４の方式１で示すように、ユーザはアクセス網や利用する端末を変更した場合、ＰＳ（プレゼンスサーバ）に対して該ユーザのアクセス情報を管理する網を識別するためのユーザ識別子および在圏アクセス網識別子を登録する（プレゼンス初期登録）。その後、Ｗａｔｃｈｅｒ（第３者）のプレゼンス情報取得要求（イベント）に応じて、ＰＳはユーザの在圏するアクセス網のＤＢ（データベース）より、該ユーザの最新プレゼンス情報（在圏位置情報、利用可能帯域情報等）の取得を行う。
方式１では、アクセス網に存在する各ＤＢよりＰＳに対して定期的に情報を通知する従前の方式に比べると、ＰＳへの信号処理負荷を軽減することができる。
【００２９】
しかし、Ｗａｃｈｅｒが同時に複数のユーザのプレゼンス情報の取得要求を行うサービス（例：プレゼンス情報の帯域情報よりコンテンツ変換を行うマルチキャスト配信サービス）においても、ＰＳはユーザ毎のプレゼンス情報の取得を行うため、ユーザ数の増加に伴い、ＰＳに対する信号処理量の増加の問題が生じる。
図４の方式２は、本発明の方法である。本発明では、プレゼンス初期登録時に、マルチキャストグループなどのプレゼンス情報取得単位でユーザをグループ化しておき、ＰＳから各ＤＢへのプレゼンス情報の取得は、このユーザグループ単位で一括して行うことにより、ＰＳの信号処理負荷を格段に軽減することができる。
【００３０】
方式２の具体的な網構成として、従来のＰＳの機能であるＤｅｆａｕｌｔＰＳの下位階梯にアクセス網単位にＰｒｏｘｙプレゼンスサーバ（ＰｒｏｘｙＰＳ）を新たに設置する階層型構成とする。ＤｅｆａｕｌｔＰＳは、Ｐｒｏｘｙプレゼンスサーバに対して上述のユーザグループ毎にプレゼンス情報の取得要求を行い、Ｐｒｏｘｙプレゼンスサーバはユーザグループのユーザリストを参照し、各ユーザのプレゼンス情報を各ＤＢより個別に取得することにより、ＰＳの信号処理負荷の分散を図っている。
【００３１】
図５は、従来方式と本発明のＰＳの信号処理量の比較図である。
図５の横軸には、最繁時１時間におけるＰＳ当たりの通信回数ｍ（回／時間）をとり、縦軸には、ＰＳに送信されるメッセージ数をとっている。
ＤｅｆａｕｌｔＰＳに対する信号処理量について定期的情報更新方式（▲１▼従来方式）と、イベントドリブン型方式（▲２▼ＰＳ）と、本発明の方式（▲３▼−１のＤｅｆａｕｌｔＰＳ（請求項１に対応）と▲３▼−２のＰｒｏｘｙＰＳ（請求項２に対応））の４種類で比較評価を行う。▲１▼従来方式では、情報更新頻度をセルラー網の位置情報を管理する単位を更新する頻度と同様に、５分毎に情報を更新し、後者の２方式▲２▼▲３▼においては、ＤｅｆａｕｌｔＰＳに対して通信要求がある際に情報更新を行う。
【００３２】
プレゼンス情報のパラメータとして、プレゼンス情報数はアクセス網情報、在圏位置情報、利用可能帯域情報、通信状態のｎ＝４種類、アクセス網をセルラー網、ＰＳＴＮ、ホットスポット網のｐ＝３種類、ユーザ数ｑ＝１０万ユーザ（各アクセス網のユーザ数はアクセス網の数に均等に分散されると仮定し、各アクセス網のユーザ数は、ｑ’＝ｑ／ｐ）とした場合、最繁時１時間当たりの各ＰＳに対する信号負荷量を算出した結果は、図５に示すように、▲１▼従来方式では、ＰＳ当たりの通信回数に係わらずＰＳに送信されるメッセージ数は一定で多量であり、▲２▼イベントドリブン型方式では、通信回数が多くなるに伴ってＰＳに送信されるメッセージ数が増加し、本発明における▲３▼−２のＰｒｏｘｙＰＳ方式では、メッセージ数は増加するが、その傾斜は緩く、ＰＳに送信されるメッセージ数は格段に軽減される。▲３▼−１のＤｅｆａｕｌｔＰＳの方式では、ｍ＝１４の場合には、７２４メッセージであって、各アクセス網単位での処理負荷処理であるため、図では殆んど０と同様の増加量である。
【００３３】
図５の結果から明らかなように、ＰｒｏｘｙＰＳ方式は各アクセス網に分散配置され、送信されるメッセージも分散されるため、ＤｅｆａｕｌｔＰＳおよびＰｒｏｘｙＰＳに対して送信されるメッセージ数が従来方式に比較して、大幅に削減されていることが判る。このように、本発明においては、ユーザ数の増加に伴って、その効果がより顕著になるものと考えられる。
【００３４】
【発明の効果】
以上説明したように、本発明によれば、異なるアクセス網に在圏する複数のユーザに対して、在圏する在圏位置やアクセス帯域に応じて、コンテンツを変換し複数のユーザにマルチキャスト型のプッシュ配信サービスを提供する際に、ユーザの在圏位置情報や利用可能な帯域情報のような頻繁に更新が行われる情報をプレゼンス情報として使用する場合、プレゼンスサーバに対して、ユーザのプレゼンス情報更新が行われる毎にプレゼンス情報の更新は行わず、また複数のユーザの情報をアクセス網単位にユーザをグループ化して一括に情報の取得を行うため、プレゼンス情報更新要求のために発生する情報通信網内の網内信号量を抑制することにより、情報通信網の各装置に対する信号処理負荷を削減した上で、複数ユーザの最新プレゼンス情報を同時に取得することが可能になる。
【図面の簡単な説明】
【図１】本発明が適用される通信システムの構成図である。
【図２】本発明のユーザ在圏位置情報を含むプレゼンス情報をプレゼンスサーバに登録する手順のシーケンスチャートである。
【図３】本発明の複数ユーザの最新プレゼンス情報取得の手順を示すシーケンスチャートである。
【図４】従来方式と本発明の方式の構成の比較図である。
【図５】従来方式と本発明の方式のＰＳの信号処理量の比較図である。
【符号の説明】
１…情報通信網、２…アクセス網Ａ、３…アクセス網Ｂ、４…ユーザ、
５，７…位置情報管理サーバ、６，８…帯域情報管理サーバ、
１３，１４…Ｐｒｏｘｙプレゼンスサーバ、１７…ユーザ情報管理サーバ、
１９…プレゼンスサーバ、２２…アプリケーション、
２３…第３者の通信事業者、
９〜１２，１５，１６，１８，２０，２１…通信回線。
【図１】
2004080619.tif 000003
【図２】
2004080619.tif 000004
【図３】
2004080619.tif 000005
【図４】
2004080619.tif 000006
【図５】
2004080619.tif 000007